(57)【要約】【課題】電磁力を駆動源とするレンズ駆動部と、ムービングマグネット形式のメカニカルシャッタとを備えたカメラモジュールにおいて、スミアの発生を防ぐ。【解決手段】ムービングマグネット形式のメカニカルシャッタ２と、電磁力によりレンズを駆動するレンズユニット３とを備えたカメラモジュール１において、レンズを駆動するための磁界は、レンズユニット３から漏洩した磁界がメカニカルシャッタ２の駆動機構に作用したときに、シャッタ羽根が光路を遮断する方向に作用するように設定されている。これにより、レンズユニット３からの漏洩磁界が、メカニカルシャッタ２のシャッタ羽根による光路の閉鎖速度を速める方向に作用する。【選択図】図２
2010079271.tif 000002
【特許請求の範囲】
【請求項１】
内部に保持した撮像レンズを、電磁力により光軸方向に駆動するレンズ駆動部と、
光路を遮断または開放するシャッタ羽根によって、撮像レンズに入射する光量を制御するシャッタ部と、
撮像レンズを通して受光した光信号を電気信号に変換する撮像素子とを備えたカメラモジュールであって、
上記シャッタ部は、電磁力により駆動する永久磁石によってシャッタ羽根を駆動させるムービングマグネット型の駆動機構を備えており、
レンズ駆動部から漏洩した磁界がシャッタ部の駆動機構に作用したときに、シャッタ羽根が光路を遮断する方向に作用するように、撮像レンズを駆動するための磁界が設定されていることを特徴とするカメラモジュール。
【請求項２】
上記レンズ駆動部とシャッタ部とが、光軸方向に積層されていることを特徴とする請求項１に記載のカメラモジュール。
【請求項３】
上記レンズ駆動部とシャッタ部との間に、レンズ駆動部からシャッタ部へ漏洩する磁界の一部を遮蔽するための磁気遮蔽板が設けられていることを特徴とする請求項１または２に記載のカメラモジュール。
【請求項４】
撮像レンズが、先端部に、レンズ駆動部の天面から突出した突出部を有しており、
シャッタ部は、レンズ駆動部の天面上に設けられており、
シャッタ部の裏面に、撮像レンズの突出部が内部に収容される凹部が形成されていることを特徴とする請求項１〜３のいずれか１項に記載のカメラモジュール。
【請求項５】
レンズ駆動部は、撮像レンズの全可動範囲内において、撮像レンズとシャッタ部とが互いに接触しないように、撮像レンズを駆動することを特徴とする請求項１〜４のいずれか１項に記載のカメラモジュール。
【請求項６】
レンズ駆動部は、撮像レンズの全駆動範囲内において、撮像レンズと磁気遮蔽板とが互いに接触しないように、撮像レンズを駆動することを特徴とする請求項３に記載のカメラモジュール。
【請求項７】
撮像レンズが、先端部に、レンズ駆動部の天面から突出した突出部を有しており、
上記磁気遮蔽板は、光路上に開口が形成されており、
上記磁気遮蔽板の開口の内径は、レンズ駆動部に形成された撮像レンズを保持するための開口の内径よりも小さく、撮像レンズの突出部の外径よりも大きいことを特徴とする請求項３または６に記載のカメラモジュール。
【請求項８】
上記撮像素子の受光部を避けて、上記撮像素子を覆うホルダを備えており、
上記ホルダは、上記撮像素子の受光面に当接しており、
上記レンズ駆動部は、上記ホルダの上面にレンズ駆動部の底部を当接させた状態で、上記撮像レンズを光軸方向に駆動することを特徴とする請求項１〜７のいずれか１項に記載のカメラモジュール。
【請求項９】
上記レンズ駆動部は、レンズ駆動部の底部を構成するベースを備えており、
上記ホルダとベースとが、一体になっていることを特徴とする請求項８に記載のカメラモジュール。
【請求項１０】
請求項１〜９のいずれか１項に記載のカメラモジュールを備えた電子機器。
【発明の詳細な説明】
【技術分野】
【０００１】
本発明は、携帯電話等の電子機器に搭載されるカメラモジュールおよびそのカメラモジュールを備えた電子機器に関する。より詳細には、ムービングマグネット形式のメカニカルシャッタと、電磁駆動方式（ＶＣＭ方式）のレンズ駆動部とを搭載し、スミア対策が施されたカメラモジュールおよびそのカメラモジュールを備えた電子機器に関する。
【背景技術】
【０００２】
例えば、撮像素子としてＣＣＤ（Ｃｈａｒｇｅ  Ｃｏｕｐｌｅｄ  Ｄｅｖｉｃｅｓ）を用いたカメラモジュールでは、スミアと呼ばれる現象が起きる。スミアとは、撮影しようとした対象物の中に、太陽や電灯などの強い光が含まれ、その光が撮像素子に入射した場合に、撮影画像に白い帯状の部分が発生してしまう現象である。スミアは、ＣＣＤにおいて、連続的に電荷があふれ出すことによって生じる。具体的には、ＣＣＤに形成された受光素子（画素）が強い光を受光すると、受光素子の一部で電荷があふれ出す。その結果、受光素子間の電荷移動の際に、連鎖的に電荷があふれ出し、スミアが発生する。
【０００３】
そこで、このようなスミアを回避するため、カメラモジュールには、メカニカルシャッタが搭載される場合が多い。メカニカルシャッタは、スミアが起こる前に、スミアの原因となる強い光を遮断することによって、スミアの発生を防ぐ。
【０００４】
例えば、特許文献１〜３には、カメラモジュール向けのメカニカルシャッタが開示されている。図９は、特許文献１に開示されたカメラモジュールの断面図である。図１０は、特許文献２に開示されたメカニカルシャッタの断面図である。図１１は、特許文献３に開示されたメカニカルシャッタの平面図である。
【０００５】
具体的には、図９のように、特許文献１のカメラモジュール１１０は、透光板１１２、撮像光学系１１３、撮像素子１１４、基板１１５、シャッタ羽根１１６，１１７などが、光軸方向に積層されて配置されている。また、シャッタ羽根１１６，１１７を電磁駆動するためのシャッタ用アクチュエータ１１８が、撮像光学系１１３の側方に配置されている。
【０００６】
また、図１０のように、特許文献２に開示されたカメラモジュール用のメカニカルシャッタ１２０は、中央部に凹部１２１が設けられており、複数枚のシャッタ羽根１２２，１２３、絞り羽根１２４，補助羽根１２５を駆動するための駆動機構１２６，１２７が、凹部１２１の両側に分散して配置されている。なお、特許文献２には、撮像レンズ等の撮像光学系の配置構造については明記されていない。
【０００７】
一方、特許文献３に開示されたカメラモジュール用のメカニカルシャッタの動作原理は、以下の通りである。すなわち、図１１のように、メカニカルシャッタ１３０は、シャッタ地板１３１に設けられた軸１３２に、回転子１３３が回転可能に取り付けられている。この回転子１３３は、二極着磁された永久磁石である。つまり、メカニカルシャッタ１３０は、回転子（永久磁石）１３３を駆動源とする、ムービングマグネット形式のシャッタである。また、メカニカルシャッタ１３０は、略Ｕ字形をしたヨーク１３４を備えており、ヨーク１３４の二つの脚部１３４ａ，１３４ｂの先端部が、磁極部となっている。さらに、一方の脚部１３４ｂにはコイル１３５を巻回したボビン１３６が嵌装されている。
【０００８】
このようなメカニカルシャッタ１３０では、コイル１３５に電流を流すと、コイル１３５から発生した磁界が、磁極部（脚部１３４ａ，１３４ｂの先端部）に作用する。そして、磁極部に作用した磁界が、回転子１３３に作用することによって、回転子１３３が回転する。これにより、回転子１３３の回転に連動して、シャッタ羽根（図示せず）が回転し、中央の開口部１３７を開閉する。なお、コイル１３５に流れる電流の向きに応じて、回転子１３３に作用する磁界の向きが反転する。その結果、回転子１３３に作用する磁界によって、回転子１３３を時計方向または反時計方向に回転させることができる。
【０００９】
一方、近年、オートフォーカス機能を有するカメラモジュールを、携帯電話に用いる例が増加してきている。オートフォーカス機能は、カメラモジュールにレンズ駆動装置を搭載することによって実現される。レンズ駆動装置は、ＶＣＭ（Voice Coil Motor ボイスコイルモータ）タイプ、ステッピングモータを利用するタイプ、圧電素子を利用するタイプなど、様々なタイプが存在し、すでに市場に流通している。
【００１０】
例えば、特許文献４には、ＶＣＭタイプのレンズ駆動装置が、開示されている。図１２は、特許文献４のレンズ駆動装置の断面図である。図１２のレンズ駆動装置２００は、レンズ２０１を中央に搭載したホルダ２０２を備えている。ホルダ２０２の上下には、板バネ２０３Ｕ，２０３Ｌが、設けられている。これにより、レンズ２０１が、光軸方向に可動するように、ホルダ２０２が支持される。
【００１１】
また、ホルダ２０２のフランジ部には、コイル２０４が固定されている。コイル２０４は、ヨーク２０５内に収容されている。ヨーク２０５の内側面には、コイル２０４と間隔をおいて対向配置された永久磁石２０６が形成されている。このような構成により、レンズ駆動装置２００は、電磁力による駆動が可能となる。
【００１２】
一方、ベース２０７には、３つの突起２０８が形成されている。レンズ駆動装置２００の組立て状態では、各突起２０８がホルダ２０２を支持している。
【００１３】
ヨーク２０５の上方に設けられたカバー２０９の中央部、および、ベース２０７の中央部には、それぞれ、開口２１０，２１１が形成されている。開口２１０，２１１は、光を透過させるためのものである。
【先行技術文献】
【特許文献】
【００１４】
【特許文献１】ＷＯ２００５／０３６２５１（２００５年４月２１日公開）
【特許文献２】特開２００７−３１６４７７号公報（２００７年１２月６日公開）
【特許文献３】特開２００７−１７４７９５号公報（２００７年７月５日公開）
【特許文献４】特開２００６−０５０６９３号公報（２００６年２月１６日公開）
【発明の概要】
【発明が解決しようとする課題】
【００１５】
しかし、ムービングマグネット形式のメカニカルシャッタと、ＶＣＭタイプのレンズ駆動装置とを備えたカメラモジュールでは、スミアの発生を防ぎきれないという問題がある。
【００１６】
具体的には、上述のように、図１１のメカニカルシャッタ１３０は、コイル１３５への通電により磁極部に作用する磁界によって回転子１３３を回転させる。そして、この回転に連動して、シャッタ羽根が、開口（光路）１３７を開閉する。
【００１７】
しかし、カメラモジュールが、メカニカルシャッタ１３０に加えて、ＶＣＭタイプのレンズ駆動装置２００を備えていると、メカニカルシャッタ１３０およびレンズ駆動装置２００の駆動源は、いずれも電磁力となる。このため、レンズ駆動装置２００から漏洩した磁界が、メカニカルシャッタ１３０にも作用する。その結果、その漏洩磁界が、メカニカルシャッタ１３０の動作に悪影響を及ぼす。
【００１８】
より詳細には、図１１のメカニカルシャッタ１３０において、脚部１３４ｂの先端部から、脚部１３４ａの先端部への磁界１３８が、磁極部に作用しているとする。メカニカルシャッタ１３０は、スミアの原因となる強い光を遮断することによって、スミアの発生を防いでいる。このため、この磁界１３８は、コイル１３５へ所定量の電流を流し、所定の速度でシャッタ羽根を動作させることによって、スミアの原因となる光が遮断されるように設定されている。
【００１９】
しかし、レンズ駆動装置２００から磁界が漏洩すると、その漏洩磁界が、磁界１３８に作用する。これにより、メカニカルシャッタ１３０が正常に機能しなくなり、シャッタ羽根による開口１３７の閉鎖動作が、所定速度から遅れる虞がある。従って、スミアの発生を防ぎきれないという問題が生じる。
【００２０】
そこで、本発明は、上記従来の問題点に鑑みてなされたものであり、その目的は、電磁力を駆動源とするレンズ駆動部と、ムービングマグネット形式のメカニカルシャッタとを備えていても、スミアの発生を防ぐことのできるカメラモジュールおよび電子機器を実現することにある。
【課題を解決するための手段】
【００２１】
本発明のカメラモジュールは、上記の課題を解決するために、内部に保持した撮像レンズを、電磁力により光軸方向に駆動するレンズ駆動部と、
光路を遮断または開放するシャッタ羽根によって、撮像レンズに入射する光量を制御するシャッタ部と、
撮像レンズを通して受光した光信号を電気信号に変換する撮像素子とを備えたカメラモジュールであって、
上記シャッタ部は、電磁力により駆動する永久磁石によってシャッタ羽根を駆動させるムービングマグネット型の駆動機構を備えており、
レンズ駆動部から漏洩した磁界がシャッタ部の駆動機構に作用したときに、シャッタ羽根が光路を遮断する方向に作用するように、撮像レンズを駆動するための磁界が設定されていることを特徴としている。
【００２２】
本発明のカメラモジュールは、電磁力を駆動源とする、レンズ駆動部およびシャッタ部を備えている。このため、シャッタ部の永久磁石には、駆動機構からの磁界に加えて、レンズ駆動部からの漏洩磁界も作用する。その結果、シャッタ羽根による光路の開閉動作に影響を及ぼし、スミアが発生する可能性がある。
【００２３】
そこで、上記の発明によれば、撮像レンズを駆動するための磁界は、レンズ駆動部から漏洩した磁界がシャッタ部の駆動機構に作用したときに、シャッタ羽根が光路を遮断する方向に作用するように設定されている。このため、シャッタ羽根には、駆動機構からの磁界に加え、レンズ駆動部からの漏洩磁界も作用することになる。これにより、たとえ、レンズ駆動部から磁界が漏洩したとしても、その漏洩磁界は、シャッタ羽根が光路を遮断する方向に作用する。言い換えれば、その漏洩磁界は、シャッタ羽根による光路の閉じ速度を速める方向に作用する。従って、電磁力を駆動源とする、レンズ駆動部およびシャッタ部を備えたカメラモジュールであっても、スミアの発生を防ぐことができる。
【００２４】
なお、撮像レンズを駆動するための磁界の方向と、レンズ駆動部から漏洩する磁界の方向とは、互いに同一方向であってもよいし、互いに異なる方向であってもよい。磁界の方向は、磁界を発生させるためのコイルの向き，コイルに流れる電流の向きを変えることによって、変更することができる。
【００２５】
本発明のカメラモジュールでは、上記レンズ駆動部とシャッタ部とが、光軸方向に積層されていることが好ましい。
【００２６】
上記の発明によれば、レンズ駆動部とシャッタ部とが、光軸方向に積層されている。つまり、レンズ駆動部とシャッタ部とが、近接して配置されている。これにより、レンズ駆動部からの漏洩磁界が、シャッタ部に作用しやすくなる。従って、より確実にスミアの発生を防ぐことができる。
【００２７】
なお、「レンズ駆動部とシャッタ部とが光軸方向に積層されている」とは、レンズ駆動部とシャッタ部とが、光軸に対して平行に配置された状態に限定されるものでなはなく、光軸に対してやや斜めに配置された状態、つまり光軸に対して略平行に配置された状態であってもよいことを示す。
【００２８】
本発明のカメラモジュールでは、上記レンズ駆動部とシャッタ部との間に、レンズ駆動部からシャッタ部へ漏洩する磁界の一部を遮蔽するための磁気遮蔽板が設けられていてもよい。
【００２９】
上述のように、漏洩磁界は、シャッタ羽根が光路を遮断する方向に作用する。このため、漏洩磁界が大きすぎると、シャッタ羽根が光路を遮断する速度が速くなるものの、逆にシャッタ羽根により光路を開放することが困難になる。
【００３０】
そこで、上記の発明によれば、磁気遮蔽板によって、レンズ駆動部からシャッタ部への漏洩磁界の一部が遮蔽される。このため、たとえレンズ駆動部から過剰の磁界が漏洩したとしても、漏洩磁界の一部が、磁気遮蔽板によって遮蔽される。つまり、磁気遮蔽板が、その漏洩磁界を減少させることができる。従って、過剰の磁界が漏洩したとしても、シャッタ羽根により光路を開放することができる。
【００３１】
なお、「レンズ部からシャッタ部へ漏洩する磁界の一部を遮蔽」とは、レンズ駆動部からの漏洩磁界が、光路を遮断する方向に作用しつつ、光路を開放することができる程度に、漏洩磁界を遮蔽することを示す。
【００３２】
本発明のカメラモジュールでは、撮像レンズが、先端部に、レンズ駆動部の天面から突出した突出部を有しており、
シャッタ部は、レンズ駆動部の天面上に設けられており、
シャッタ部の裏面に、撮像レンズの突出部が内部に収容される凹部が形成されている構成であってもよい。
【００３３】
上記の発明によれば、シャッタ部が、レンズ駆動部の天面上に設けられている。このため、シャッタ部を設けてもレンズ駆動部の幅が広がらない。従って、シャッタ部を設けてもカメラモジュールが大型化しない。
【００３４】
しかも、上記の発明によれば、撮像レンズは、突出部を有しており、撮像レンズの先端部が、レンズ駆動部の天面から突出している。言い換えれば、レンズ駆動部の天面は、撮像レンズの突出部よりも低い位置にある。さらに、撮像レンズの突出部は、シャッタ部の裏面に形成された凹部内に収容される。このため、レンズ駆動部の天面にシャッタ部を積層した後のシャッタ部およびレンズ駆動部の厚さ（見かけ上の厚さ）は、積層前のシャッタ部およびレンズ駆動部の各々の厚さの合計よりも、レンズ駆動部の天面が撮像レンズの突出部よりも低い分、小さくなる。従って、レンズ駆動部上にシャッタ部を積層しても、カメラモジュールが厚くなりすぎない。
【００３５】
それゆえ、メカニカルシャッタとレンズ駆動部とを備えたカメラモジュールにおいて、小型化および薄型化を同時に実現することができる。
【００３６】
本発明のカメラモジュールでは、レンズ駆動部は、撮像レンズの全可動範囲内において、撮像レンズとシャッタ部とが互いに接触しないように、撮像レンズを駆動することが好ましい。
【００３７】
上記の発明によれば、撮像レンズの全可動範囲において、撮像レンズとシャッタ部とが互いに接触しない。つまり、撮像レンズとシャッタ部との間には、常に隙間が形成される。これにより、撮像レンズが、シャッタ部に接触しない。従って、撮像レンズの位置ずれ（焦点調整のずれ）を防ぐことができる。
【００３８】
本発明のカメラモジュールでは、レンズ駆動部は、撮像レンズの全駆動範囲内において、撮像レンズと磁気遮蔽板とが互いに接触しないように、撮像レンズを駆動することが好ましい。
【００３９】
上記の発明によれば、撮像レンズの全可動範囲において、撮像レンズと磁気遮蔽板とが互いに接触しない。つまり、撮像レンズと磁気遮蔽板との間には、常に隙間が形成される。これにより、撮像レンズが、磁気遮蔽板に接触しない。従って、撮像レンズの位置ずれ（焦点調整のずれ）を防ぐことができる。
【００４０】
本発明のカメラモジュールでは、撮像レンズが、先端部に、レンズ駆動部の天面から突出した突出部を有しており、上記磁気遮蔽板は、光路上に開口が形成されており、
上記磁気遮蔽板の開口の直径（内径）は、レンズ駆動部に形成された撮像レンズを保持するための開口の直径（内径）よりも小さく、撮像レンズの突出部の直径（外径）よりも大きいことが好ましい。
【００４１】
上記の発明によれば、磁気遮蔽板の開口の直径は、レンズ駆動部に形成された撮像レンズを保持するための開口の直径よりも小さく、撮像レンズの突出部の直径よりも大きい。これにより、磁気遮蔽板の面積を広くすることができる。従って、磁気遮蔽板による磁気遮蔽効果を高めることができる。
【００４２】
本発明のカメラモジュールでは、上記撮像素子の受光部を避けて、上記撮像素子を覆うホルダを備えており、上記ホルダは、上記撮像素子の受光面に当接しており、上記レンズ駆動部は、上記ホルダの上面にレンズ駆動部の底部を当接させた状態で、上記撮像レンズを光軸方向に駆動することが好ましい。
【００４３】
上記の発明によれば、ホルダが、焦点距離の起点となる撮像素子の受光面に当接している。また、このホルダの上面にレンズ駆動部の底部を当接させた状態で、撮像レンズが光軸方向に移動する。従って、撮像素子の受光面に対する撮像レンズの高さの誤差（焦点距離の誤差）を低減することができる。
【００４４】
本発明のカメラモジュールでは、上記レンズ駆動部は、レンズ駆動部の底部を構成するベースを備えており、上記ホルダとベースとが、一体になっていることが好ましい。
【００４５】
上記の発明によれば、撮像素子の受光面に当接したホルダと、レンズ駆動部の底部を構成するベースとが、一体化（共通化）されている。つまり、レンズ駆動部のベースがホルダを兼ねている。このため、単一部材から構成されたホルダとベースとを、同時に形成することができる。これにより、光軸方向におけるホルダの厚さのばらつきと、光軸方向におけるベースの厚さのばらつきとの累積誤差が低減される。従って、撮像素子の受光面に対する撮像レンズの高さの誤差（焦点距離の誤差）を、より一層低減することができる。
【００４６】
本発明の電子機器は、上記の課題を解決するために、前記いずれかに記載のカメラモジュールを備えていることを特徴としている。従って、電磁力を駆動源とするレンズ駆動部と、ムービングマグネット形式のメカニカルシャッタとを備えた場合でも、スミアの発生を防ぐことのできる電子機器を提供することができる。
【発明の効果】
【００４７】
本発明のカメラモジュールは、以上のように、ムービングマグネット型の駆動機構を備えたシャッタ部と、電磁力を駆動源とするレンズ駆動装置とを備えており、レンズ駆動部から漏洩した磁界がシャッタ部の駆動機構に作用したときに、シャッタ羽根が光路を遮断する方向に作用するように、撮像レンズを駆動するための磁界が設定された構成である。それゆえ、電磁力を駆動源とする、レンズ駆動部およびシャッタ部を備えたカメラモジュールであっても、スミアの発生を防ぐことができるという効果を奏する。
【図面の簡単な説明】
【００４８】
【図１】本発明のカメラモジュールを示す斜視図である。
【図２】図１のカメラモジュールの断面図である。
【図３】図１のカメラモジュールに搭載されたメカニカルシャッタの断面図である。
【図４】図１のカメラモジュールに搭載されたレンズユニットおよび撮像ユニットの断面図である。
【図５】図１のカメラモジュールに搭載されたメカニカルシャッタの駆動機構を示す平面図であり、（ａ）は駆動機構の回転子に作用する磁界と、レンズユニットからの漏洩磁界とが、同一方向である図であり、（ｂ）は駆動機構の回転子に作用する磁界と、レンズユニットからの漏洩磁界とが、逆方向である図である。
【図６】図１のカメラモジュールに搭載されたメカニカルシャッタによる光路の閉鎖時間を示すグラフであり、（ａ）は駆動機構の回転子に作用する磁界と、レンズユニットからの漏洩磁界とが、同一方向である場合のグラフであり、（ｂ）は駆動機構の回転子に作用する磁界と、レンズユニットからの漏洩磁界とが、逆方向である場合のグラフである。
【図７】図１のカメラモジュールにおいて、レンズが最高位置に移動した状態を示す断面図である。
【図８】本発明の別のカメラモジュールを示す断面図である。
【図９】特許文献１のカメラモジュールの断面図である。
【図１０】特許文献２のメカニカルシャッタの断面図である。
【図１１】特許文献３のメカニカルシャッタの平面図である。
【図１２】特許文献４のレンズ駆動装置の断面図である。
【図１３】本発明のさらに別のカメラモジュールを示す断面図である。
【図１４】本発明のさらに別のカメラモジュールを示す断面図である。
【発明を実施するための形態】
【００４９】
以下、本発明の実施の形態について、図面に基づいて説明する。図１は、本発明のレンズ駆動装置を備えたカメラモジュールの斜視図である。図２は、本発明のレンズ駆動装置を備えたカメラモジュールの断面図である。
【００５０】
図１のように、本実施形態のカメラモジュール１は、メカニカルシャッタ（シャッタ部）２、レンズユニット（レンズ駆動部）３と、撮像ユニット４とが、光軸方向にこの順に積層された３層構造である。また、本実施形態のカメラモジュール１では、図２のように、メカニカルシャッタ２と、レンズユニット３との間に、磁気遮蔽板５が設けられている。以下の説明では、便宜上、メカニカルシャッタ２側を上方、撮像ユニット４側を下方とする。
【００５１】
＜メカニカルシャッタ２＞
図３は、メカニカルシャッタ２の断面図であり、上段が光路を開放した状態、下段が光路を遮断した状態を示している。メカニカルシャッタ２は、ムービングマグネット形式により、レンズユニット３に設けられた撮像レンズに入射する光をＯＮ／ＯＦＦ制御するためのものである。すなわち、メカニカルシャッタ２は、スミアの原因となる光を遮断することにより、スミアの発生を防ぐものである。
【００５２】
具体的には、メカニカルシャッタ２は、裏面（レンズユニット３側の面）の中央部に、凹部２１が形成されている。そして、この凹部２１の両側に、複数枚(図３では２枚）のシャッタ羽根２２，２３と、シャッタ羽根２２，２３を駆動するための駆動機構２４，２５が配置されている。
【００５３】
シャッタ羽根２２，２３および駆動機構２４，２５は、中空のケース２６内に収容されるとともに固定されている。このケース２６自体が、裏面の中央部に、凹部２１が形成された構造となっている。また、ケース２６の天面には、異物の侵入を防止する等の目的で蓋２６ａが設けられている。
【００５４】
ケース２６の中央部には、光を透過させて光路（図中の一点鎖線）を確保するために、開口２７が形成されている。シャッタ羽根２２，２３にも同様に、光路を確保するために、開口２８，２９形成されている。駆動機構２４，２５が駆動すると、駆動機構２４，２５を軸として、シャッタ羽根２２，２３が光路に対して垂直な面上を回動（揺動）する。そして、図３の上段に示すように、ケース２６に形成された開口２７と、シャッタ羽根２２，２３に形成された開口２８，２９とが重なると、光路が開放される。これにより、外部の光が、メカニカルシャッタ２を通過して、レンズユニット３に入射する。
【００５５】
一方、図３の下段に示すように、ケース２６に形成された開口２７と、シャッタ羽根２２，２３に形成された開口２８，２９とが重ならないときは、外部の光が遮断され、レンズユニット３に入射しない。このようにシャッタ羽根２２，２３を駆動することによって、メカニカルシャッタ２は、レンズユニット３に入射する光をＯＮまたはＯＦＦに制御する。
【００５６】
なお、シャッタ羽根２２，２３は、開口２８，２９が形成された構成に限定されるものではなく、シャッタ羽根２２，２３自体が、光路を遮断する位置にあるか、光路を開放する位置にあるかによって、レンズユニット３に入射する光をＯＮまたはＯＦＦに制御する構成であってもよい。
【００５７】
また、シャッタ羽根２２，２３の一方を、ＮＤ（Ｎｅｕｔｒａｌ  Ｄｅｎｓｉｔｙ）フィルタに交換することによって、フィルタ機能の有無を切り替える構成にすることもできる。また、シャッタ羽根２２，２３およびＮＤフィルタの合計は、２枚に限定されるものではなく、１枚でもかまわないし３枚以上であってもよい。
【００５８】
駆動機構２４，２５の構造の詳細については、後述する。なお、本実施形態カメラモジュール１では、メカニカルシャッタ２（ケース２６）の裏面全域に、磁気遮蔽板５が取り付けられている。
【００５９】
＜レンズユニット３＞
次に、レンズユニット３について説明する。図４は、レンズユニット３および撮像ユニット４の断面図である。レンズユニット３は、被写体像を形成する撮像光学系である。つまり、レンズユニット３は、外部からの光を撮像ユニット４の受光部（撮像面）へ導く。レンズユニット３は、光軸方向に可動する可動部と、可動部を内部に収容する収容部と、この可動部を光軸方向に移動させる駆動部とから構成されている。
【００６０】
具体的には、図４のように、レンズユニット３は、複数のレンズ（撮像レンズ）３１を内部に保持したレンズバレル３２が、レンズホルダ３３の内部に固定されており、これらが、ベース３９，ヨーク３４，およびカバー３５により形成された空間内に、収容された構成となっている。なお、本実施形態では、複数のレンズ３１を搭載したレンズバレル３２をレンズホルダ３３に固定している。しかし、レンズバレル３２およびレンズホルダ３３の一方におねじ、他方にめねじを形成しておき、レンズホルダ３３に対してレンズバレル３２の高さを調整可能にしてもよい。
【００６１】
レンズバレル３２は、内部にレンズ３１を保持するための枠体である。一方、レンズホルダ３３は、レンズ３１を保持したレンズバレル３２を、内部に保持している。レンズ３１は、レンズバレル３２およびレンズホルダ３３の中央部に配置される。レンズバレル３２およびレンズホルダ３３は、いずれも中空（筒状）の部材である。
【００６２】
後述のように、レンズ３１の先端部（レンズ３１およびレンズバレル３２先端部）は、レンズユニット３の天面（カバー３５の上端面）よりも突出した突出部３１ａを構成している。この突出部３１ａは、上述したメカニカルシャッタ２の凹部２１内に収容される。
【００６３】
なお、後述のように、レンズ３１，レンズバレル３２，および、レンズホルダ３３は、光軸方向に移動可能となっており、可動部を構成する。そして、この可動部は、収容部に収容される。具体的には、この収容部は、ベース３９，ヨーク３４，およびカバー３５から構成される。ベース３９は、レンズユニット３の底部を構成する。つまり、ベース３９は、レンズユニット３の光出射側に配置される。
【００６４】
ヨーク３４は、筒状の部材であり、レンズユニット３の側面部を構成している。ヨーク３４は、内部に可動部を収容する。ヨーク３４はベース３９上に固定されている。本実施形態では、ヨーク３４の上方に、カバー３５が設けられている。カバー３５は、レンズユニット３の上部（天面）を構成している。なお、ヨーク３４自体が、カバーの役割を果たすことで、カバー３５を省略してもかまわない。この場合、開口３５ａは、ヨーク３４の内径となる。
【００６５】
ベース３９の中央部には、開口３９ａが存在する。また、カバー３５の中央部にも、開口３５ａが形成されている。開口３９ａおよび開口３５ａは、光を透過させるためのものであり、光軸方向に形成されている。このように、収容部には、光軸方向に、光路を確保するために、光入射側に開口３５ａ、光出射側に開口３９ａが形成されている。このため、レンズ３１，レンズバレル３２，およびレンズホルダ３３の一部が、この開口３５ａから露出している。
【００６６】
次に、レンズユニット３の駆動部は、電磁力によりレンズ３１を光軸方向に駆動するために、コイル３６と永久磁石３７とを備えている。具体的には、本実施形態では、コイル３６に電流を流すことによって発生させた磁界を、永久磁石３７に作用させることによって、レンズ３１（レンズホルダ３３）を光軸方向に駆動することが可能となる。コイル３６は、レンズホルダ３３のフランジ部に固定されている。コイル３６は、光入射側（開口３５ａ側）に延設されている。一方、このコイル３６と対向するように、ヨーク３４の内側面には、永久磁石３７からなる磁気回路が配置されている。永久磁石３７の着磁方向は、メカニカルシャッタ２のシャッタ羽根２２，２３が光路を遮断する方向に設定されている。
【００６７】
さらに、本実施形態のレンズユニット３では、レンズホルダ３３の上下面（天面および底面）には、板ばね３８ａ，３８ｂが設けられている。板ばね３８ａ，３８ｂは、可動部を光出射側に押圧する押圧部である。板ばね３８ａ，３８ｂは、渦巻状のパターンを有している。各板ばね３８ａ，３８ｂは、一端が可動部に、他端が収容部に固定されていればよい。本実施形態では、板ばね３８ａ，３８ｂは、一端がヨーク３４またはベース３９に、他端がレンズホルダ３３に固定されている。板ばね３８ａ，３８ｂは、弾性力により、補助的にレンズホルダ３３を光軸方向に可動に支持している。
【００６８】
＜撮像ユニット４＞
次に、撮像ユニット４の構成について説明する。撮像ユニット４は、図４のように、レンズユニット３の底面側に設けられており、レンズユニット３によって形成される被写体像を、電気信号に変換する撮像部である。つまり、撮像ユニット４は、レンズユニット３から入射された入射光を光電変換するセンサデバイスである。
【００６９】
撮像ユニット４は、図４に示すように、配線基板４１上に、固体撮像素子４２を備えている。また、固体撮像素子４２は、配線基板４１上に設けられたホルダ４３内に収容される。なお、ホルダ４３の上部には、固体撮像素子４２を覆う透光性部材４４が配置されている。本実施形態では、ホルダ４３の下側面は、設計上は配線基板４１と固体撮像素子４２との両方に接している。ただし、ホルダ４３の寸法公差によって、配線基板４１のみに接する場合もあれば、固体撮像素子４２のみに接する場合もある。
【００７０】
配線基板４１は、図示しないパターニングされた配線を有する基板である。この配線によって、配線基板４１と固体撮像素子４２とが互いに電気的に接続される。配線基板４１は、例えば、プリント基板，またはセラミック基板などである。
【００７１】
固体撮像素子４２は、レンズユニット３で形成された被写体像を、電気信号に変換するものである。つまり、レンズユニット３のレンズ３１を通して受光した光信号を電気信号に変換するセンサデバイスである。固体撮像素子４２は、例えば、ＣＣＤまたはＣＭＯＳセンサーＩＣである。固体撮像素子４２の表面（上面）には、複数の画素がマトリクス状に配置された受光部（図示せず）が形成されている。この受光部は、レンズユニット３から入射される光を結像する領域であり、画素エリアとも言い換えられる。
【００７２】
固体撮像素子４２は、この受光部（画素エリア）に結像された被写体像を電気信号に変換して、アナログの画像信号として出力する。つまり、この受光部で、光電変換が行われる。固体撮像素子４２の動作は、図示しないＤＳＰで制御され、固体撮像素子４２で生成された画像信号は、ＤＳＰで処理される。
【００７３】
透光性部材４４は、固体撮像素子４２の受光部を覆っており、ガラスなどから構成されている。なお、本実施形態では、透光性部材４４の表面に、赤外線遮断膜（ＩＲカット膜）が形成されている。このため、透光性部材４４は、赤外線を遮断する機能も備えている。
【００７４】
＜磁気遮蔽板５＞
次に、磁気遮蔽板５について説明する。本実施形態のカメラモジュール１では、レンズユニット３からの漏洩磁界の大きさを調整するために、磁気遮蔽板５を設けている。なお、磁気遮蔽板５は、カメラモジュール１に必須の構成ではなく、レンズユニット３からの漏洩磁界が大きい場合に設けることが好ましい。
【００７５】
磁気遮蔽板５は、レンズユニット３の漏洩磁界の大きさ、メカニカルシャッタ２側の磁界耐性の大きさによって、厚さや面積を任意に調整することができる。磁気遮蔽板５の詳細については後述する。
【００７６】
このように、本実施形態のカメラモジュール１は、電磁力を駆動源とする、メカニカルシャッタ２およびレンズユニット３を備えている。このため、メカニカルシャッタ２（シャッタ羽根２２，２３）には、駆動機構２４，２５からの磁界に加えて、レンズユニット３からの漏洩磁界も作用する。その結果、シャッタ羽根２２，２３による光路の開閉動作に影響を及ぼし、スミアが発生する可能性がある。特に、カメラモジュール１では、メカニカルシャッタ２およびレンズユニット３が、光軸方向に積層され、互いに近接しているため、互いの磁界が影響を受けやすい。このため、スミアが発生する可能性も高い。
【００７７】
具体的には、図５は、駆動機構２４の平面図であり、図５の（ａ）は、駆動機構２４の回転子５２に作用する磁界と、レンズユニット３からの漏洩磁界とが、同一方向である場合を示しており、図５の（ｂ）は、これらの磁界が逆方向である場合を示している。なお、駆動機構２５も同様の構成である。なお、駆動機構２４の回転子５２に作用する磁界と、レンズユニット３からの漏洩磁界とは、完全に平行である場合に限定される訳ではなく、両者が角度を有していてもかまわない。
【００７８】
駆動機構２４，２５は、ムービングマグネット形式により、シャッタ羽根２２，２３を駆動するものであれば、特に限定されるものではない。例えば、上述した特許文献３（図１１参照）等に開示された従来公知のものを適用できる。
【００７９】
図５のように、メカニカルシャッタ２の駆動機構２４は、軸５１，軸５１に対して回転可能に配置された回転子５２，略Ｕ字形をしたヨーク５３，コイル５４などから構成されている。回転子５２は、二極着磁された永久磁石である。つまり、メカニカルシャッタ２は、回転子（永久磁石）５２を駆動源とする、ムービングマグネット形式のシャッタである。すなわち、駆動機構２４は、電磁力に駆動する回転子（永久磁石）５２によってシャッタ羽根２２を駆動させる。ヨーク５３の二つの脚部５３ａ、５３ｂの先端が磁極部となり、脚部５３ａ、５３ｂは、回転子５２を挟み込むように配置されている。コイル５４は、一方の脚部５３ｂに巻回されている。
【００８０】
駆動機構２４では、図５の（ａ）のように、コイル５４に対して、所定の方向に電流を流したときに、矢印で示すように、脚部５３ｂから脚部５３ａへの磁界５５が作用することにより、回転子５２が、シャッタ羽根２２（図３参照）を、光路を閉ざす方向に回転させるとする。このとき、レンズユニット３からの漏洩磁界５６の方向が、磁界５５と同一方向に作用している。これにより、漏洩磁界５６は、メカニカルシャッタ２（駆動機構２４）の磁極部から作用する磁界５５に対してバイアス磁界として加算されることになる。つまり、回転子５２には、駆動機構２４から本来作用する磁界５５よりも大きな磁界が作用することになる。その結果、レンズユニット３からの漏洩磁界５６が無い場合に比べて、シャッタ羽根２２による光路の閉じ速度を速めることができる。
【００８１】
一方、シャッタ羽根２２により光路を開放する（シャッタを開く）場合、コイル５４に対して逆方向の電流を流すと、回転子５２に、図５の（ａ）の磁界５５と逆向きの磁界が作用する。このとき、レンズユニット３からの漏洩磁界５６の方向が、図５の（ａ）の磁界５５と逆向きの磁界と逆方向に作用している。このため、レンズユニット３からの漏洩磁界５６は、メカニカルシャッタ２（駆動機構２４）の磁極部から作用する、図５の（ａ）の磁界５５と逆向きの磁界に対して逆バイアス磁界として作用する。つまり、回転子５２には、駆動機構２４から本来作用する図５の（ａ）の磁界５５と逆向きの磁界よりも小さな磁界が作用することになる。その結果、レンズユニット３からの漏洩磁界５６が無い場合に比べて、シャッタ羽根２２による光路の開放速度は遅くなる。メカニカルシャッタ２は、スミアの原因となる強い光を遮断することによって、スミアの発生を防ぐという機能を果たす。この機能を考慮すると、光路を開放する時間は、光路を遮断する時間に比べて重要度は低い。つまり、光路を開放する動作自体に支障がなければ（光路を開放することさえできれば）、光路の開放速度が遅くなったとしても大きな問題とはならない。
【００８２】
これに対し、図５の（ｂ）のように、漏洩磁界５７が、図５の（ａ）の漏洩磁界５６と逆方向である場合は、漏洩磁界５７がない場合に比べて、シャッタ羽根２２による光路の閉じ速度が遅くなってしまう。すなわち、レンズユニット３からの漏洩磁界５７は、メカニカルシャッタ２（駆動機構２４）の磁極部から作用する磁界５５に対して逆バイアス磁界として作用する。つまり、回転子５２には、駆動機構２４から本来作用する磁界５５よりも小さな磁界が作用することになる。その結果、レンズユニット３からの漏洩磁界５７が無い場合に比べて、シャッタ羽根２２による光路の遮断速度は遅くなる。しかし、光路を遮断する速度が遅くなると、メカニカルシャッタ２がスミアの発生を防ぐ機能が低下する。つまり、図５の（ｂ）のように、メカニカルシャッタ２にとっての重要なスペックである光路の閉じ時間（光路の遮断時間）に対して、悪影響を与えるような漏洩磁界５７を作用させることは好ましくない。なお、図５の（ｂ）の場合、光路の開放時間は、図５（ａ）の場合と逆に、速くなる。
【００８３】
そこで、カメラモジュール１では、レンズユニット３から漏洩した磁界がメカニカルシャッタ２の駆動機構２４に作用したときに、シャッタ羽根２２が光路を遮断する方向に作用するように、レンズ３１を駆動するための磁界が設定されている。つまり、駆動機構２４が、図５の（ａ）のような構成となっている。図６は、駆動機構２４が、図５の（ａ）および図５の（ｂ）の構成である場合の、シャッタ羽根２２の開閉動作を確認した結果を示すグラフである。図６の（ａ）は、図５の（ａ）の駆動機構２４の結果を示し、図６の（ｂ）は、図５の（ｂ）の駆動機構２４の結果を示している。つまり、図６の（ａ）および図６の（ｂ）のグラフは、メカニカルシャッタ２の回転子５２に作用する漏洩磁界５６，５７の方向を、それぞれ逆にした場合の光路の閉じ時間を縦軸に、漏洩磁界５６，５７の大きさを横軸にとって示したものである。
【００８４】
図６の（ａ）のように、図５の（ａ）の駆動機構２４の場合、漏洩磁界５６が大きくなるにしたがって、光路の閉じ時間が小さくなっている。つまり、光路の遮断速度が速くなっている。なお、図６（ａ）でプロットした範囲では、光路の開放動作も実現できている。
【００８５】
これに対し、図６の（ｂ）のように、図５の（ｂ）の駆動機構２４の場合、漏洩磁界５７が大きくなるにしたがって、光路の閉じ時間が大きくなっている。つまり、光路の遮断速度が遅くなっている。
【００８６】
このように、図５の（ａ）の駆動機構２４を備えていれば、レンズユニット３からの漏洩磁界５６が存在しても、メカニカルシャッタ２にとっての最重要スペックのひとつである、光路の閉じ時間に対して悪影響を与えない。かえって、漏洩磁界５６が作用しない場合と比べて、メカニカルシャッタ２の閉じ時間を早めることができる。それゆえ、メカニカルシャッタ２、ひいてはカメラモジュール１の高機能化にもつながる。
【００８７】
以上のように、カメラモジュール１によれば、レンズ３１を駆動するための磁界は、レンズユニット３から漏洩した磁界がメカニカルシャッタ２の駆動機構２４，２５に作用したときに、シャッタ羽根２２，２３が光路を遮断する方向に作用するように設定されている。このため、シャッタ羽根２２，２３には、駆動機構２４，２５からの磁界に加え、レンズユニット３からの漏洩磁界も作用することになる。これにより、たとえ、レンズユニット３から磁界が漏洩したとしても、その漏洩磁界５６は、光路を遮断する方向に作用する。言い換えれば、その漏洩磁界５６は、シャッタ羽根２２，２３による光路の閉じ速度を速める方向に作用する。従って、電磁力を駆動源とする、レンズユニット３およびメカニカルシャッタ２を備えたカメラモジュール１であっても、スミアの発生を防ぐことができる。
【００８８】
また、カメラモジュール１は、レンズユニット３を備えるため、レンズ３１を光軸方向に移動させて焦点調整機能を実現することができる。
【００８９】
さらに、本実施形態のカメラモジュール１は、図２のように、メカニカルシャッタ２とレンズユニット３とが光軸方向に積層されている。つまり、レンズユニット３とメカニカルシャッタ２とが、近接して配置されている。これにより、レンズユニット３からの漏洩磁界が、メカニカルシャッタ２に作用しやすくなる。従って、より確実にスミアの発生を防ぐことができる。
【００９０】
また、カメラモジュール１では、レンズユニット３の永久磁石３７は、光軸に対して垂直な方向（図の横方向）に着磁されている。このため、このような積層構造の場合、レンズユニット３からの漏洩磁界は、メカニカルシャッタ２の駆動機構２４，２５に対しても、光軸に対して垂直な方向に作用することになる。一方、メカニカルシャッタ２を動作させるための磁界も、光軸に垂直な方向となっている。このため、互いの磁界が影響しやすい構成となる。カメラモジュール１では、このように磁界の影響を受けやすい場合であっても、確実にスミアの発生を防ぐことができる。
【００９１】
上述のように、カメラモジュール１では、レンズユニット３からの漏洩磁界が、シャッタ羽根２２，２３が光路を遮断する方向に作用する。このため、漏洩磁界が大きすぎると、シャッタ羽根２２，２３が光路を遮断する速度が速くなるものの、逆にシャッタ羽根２２，２３により光路を開放することが困難になることがある。
【００９２】
すなわち、レンズユニット３からの漏洩磁界の方向が、シャッタ羽根２２，２３による光路の閉じ動作を速める方向に設定されている場合、裏を返せば、シャッタ羽根２２，２３の光路の開放動作が遅くなる。メカニカルシャッタ２において、光路の開放動作の速度は、それほど重要ではないものの、所定の電流を流しても光路が開放されないという現象は望ましくない。すなわち、レンズユニット３からの漏洩磁界によって、光路の閉鎖速度を速めるからといって、漏洩磁界がいくら大きくても良い訳ではない。
【００９３】
そこで、漏洩磁界が大きすぎる場合には、磁気遮蔽板５を設けて、漏洩磁界を所望の大きさまで減少させることが好ましい。これにより、磁気遮蔽板５によって、レンズユニット３からメカニカルシャッタ２への漏洩磁界の一部が遮蔽される。このため、たとえレンズユニット３から過剰の磁界が漏洩したとしても、漏洩磁界の一部が、磁気遮蔽板５によって遮蔽される。つまり、磁気遮蔽板５が、その漏洩磁界を減少させることができる。従って、過剰の磁界が漏洩したとしても、シャッタ羽根２２，２３により光路を開放することができる。
【００９４】
このように、磁気遮蔽板５は、漏洩磁界の作用を軽減することを意図して設けられる。また、磁気遮蔽板５は、メカニカルシャッタ２とレンズユニット３との間に配置する構成が望ましい。これにより、確実に漏洩磁界の作用を軽減することができる。
【００９５】
また、本実施形態のカメラモジュール１は、レンズ３１の先端部（レンズ３１およびレンズバレル３２先端部）は、（レンズ３１およびレンズバレル３２先端部）は、レンズユニット３の天面（カバー３５の上端面）よりも突出した突出部３１ａを構成している。しかも、この突出部３１ａが、レンズユニット３の天面（カバー３５の上端面）から突出している。言い換えれば、レンズユニット３の天面（カバー３５の上端面）は、レンズ３１の突出部３１ａよりも低い位置にある。さらに、レンズ３１の突出部３１ａは、メカニカルシャッタ２の裏面に形成された凹部２１内に収容される。このため、レンズユニット３の天面にメカニカルシャッタ２を積層した後のメカニカルシャッタ２およびレンズユニット３の厚さ（見かけ上の厚さ）は、積層前のメカニカルシャッタ２およびレンズユニット３の各々の厚さの合計よりも、レンズユニット３の天面がレンズ３１の突出部３１ａよりも低い分、小さくなる。従って、レンズユニット３上にメカニカルシャッタ２を積層しても、カメラモジュール１が厚くなりすぎない。
【００９６】
すなわち、カメラモジュール１は、レンズ３１およびレンズバレル３２の一部（先端部）が、レンズユニット３の上端面よりも突出しており、メカニカルシャッタ２の凹部２１内に配置された構成である。このように構成することにより、メカニカルシャッタ２のデッドスペースを有効活用し、単純にメカニカルシャッタ２とレンズユニット３とを積層する場合に比べて、カメラモジュール１の厚さを薄くすることができる。また、メカニカルシャッタ２とレンズユニット３とを積層配置しているので、従来のようにレンズユニット３の側方にメカニカルシャッタ２の駆動機構を配置する構成と比べて、カメラモジュールの小型化が可能となる。
【００９７】
従って、メカニカルシャッタ２とレンズユニット３とを備えたカメラモジュール１は、小型化および薄型化を同時に実現することができる。
【００９８】
ここで、図２は、レンズユニット３の駆動部が駆動していないカメラモジュール１の状態（定常状態；ホームポジション）を示している。一方、図７は、レンズユニット３の駆動部が駆動し、レンズ３１（レンズホルダ３３）が最高位置に移動した状態を示す断面図である。
【００９９】
また、本実施形態のカメラモジュール１は、図７のように、レンズユニット３が、レンズ３１の全可動範囲内において、レンズ３１とメカニカルシャッタ２とが互いに接触しないように、レンズ３１を駆動するようになっている。
【０１００】
このようにレンズ３１を駆動すると、レンズ３１の全可動範囲において、レンズ３１とメカニカルシャッタ２とが互いに接触しない。つまり、レンズ３１とメカニカルシャッタ２との間には、常に隙間が形成される。これにより、焦点距離を調整するためにレンズ３１を光軸方向に移動させても、レンズ３１が、メカニカルシャッタ２に接触しない。従って、レンズ３１の位置ずれ（焦点調整のずれ）を防ぐことができる。
【０１０１】
しかも、本実施形態のカメラモジュール１は、レンズユニット３が、レンズ３１の全駆動範囲内において、レンズ３１と磁気遮蔽板５とが互いに接触しないように、レンズ３１を駆動するようにもなっている。
【０１０２】
このようにレンズ３１を駆動すると、レンズ３１の全可動範囲において、レンズ３１と磁気遮蔽板５とが互いに接触しない。つまり、レンズ３１と磁気遮蔽板５との間には、常に隙間が形成される。これにより、レンズ３１が、磁気遮蔽板５に接触しない。従って、レンズ３１の位置ずれ（焦点調整のずれ）を防ぐことができる。
【０１０３】
このように、本実施形態のカメラモジュール１では、レンズ３１が、焦点距離を長くする方向（図の上方向）に駆動されたとき、所定のストローク量にて、レンズユニット３のストッパー機構が働くようになっている。具体的には、図７の例では、レンズホルダ３３の上面に固定された板ばね３８ａと、カバー３５とが当接することにより、ストッパー機構として作用する。この状態が、レンズ３１が最も高い位置となる。そして、この状態において、レンズバレル３２とメカニカルシャッタ２（ケース２６）との間、および、レンズバレル３２と磁気遮蔽板５との間には、隙間が確保されるようになっている。つまり、レンズバレル３２に直接、衝突による衝撃力が加わらないようになっている。レンズバレル３２に衝撃力が加わると、レンズ３１のフォーカス位置が変化する可能性がある。しかし、カメラモジュール１では、そのような衝撃力が加わらないため、フォーカス位置が変化することを防ぐことができる。
【０１０４】
なお、本実施形態のカメラモジュール１では、磁気遮蔽板５には、光路上に開口５ａが形成されており、この開口５ａの直径が、レンズユニット３に形成された開口３５ａの直径よりも小さく、かつ、レンズ３１の突出部３１ａの直径よりも大きくなっている。言い換えれば、開口５ａの直径は、メカニカルシャッタ２の凹部２１の径と同等またはほぼ同等である。
【０１０５】
ここで、磁気遮蔽板５は、撮像ユニット４上にレンズユニット３を設けた後に、レンズユニット３上に配置する方法と、レンズユニット３およびメカニカルシャッタ２の一方に磁気遮蔽板５を接着させておき、レンズユニット３上へのメカニカルシャッタ２の配置と、レンズユニット３上への磁気遮蔽板５の配置とを同時に行う方法とが考えられる。製造工程を簡略化する上では、後者の方法が好ましい。
【０１０６】
しかし、レンズ３１を保持したレンズバレル３２は、撮像ユニット４上に、ベース３９等を接着させた後に、レンズホルダ３３にはめ込まれる。図５のように、磁気遮蔽板５の開口５ａの直径を、レンズユニット３に形成された開口３５ａの直径よりも小さく、かつ、レンズ３１の突出部３１ａの直径よりも大きくするには、メカニカルシャッタ２の裏面に磁気遮蔽板５を接着させておき、レンズユニット３上へのメカニカルシャッタ２の配置と、レンズユニット３上への磁気遮蔽板５の配置とを同時に行うことになる。
【０１０７】
そして、図７のように、磁気遮蔽板５の開口５ａの直径を、レンズユニット３に形成された開口３５ａの直径よりも小さく、かつ、レンズ３１の突出部３１ａの直径よりも大きくすれば、磁気遮蔽板５の開口５ａの直径を小さくすることができる。つまり、磁気遮蔽板５の面積を広くすることができる。従って、磁気遮蔽板５による磁気遮蔽効果を高めることができる。なお、この場合、磁気遮蔽板５はメカニカルシャッタ２側に先に装着しておき、レンズユニット３にレンズバレル３２を装着し、フォーカス調整、固定等の作業を実施した後、最後に、メカニカルシャッタ２および磁気遮蔽板５をレンズユニット３の上にかぶせるように配置すればよい。
【０１０８】
なお、レンズユニット３の天面に磁気遮蔽板５を接着させておき、レンズユニット３上へのメカニカルシャッタ２の配置と、メカニカルシャッタ２の裏面への磁気遮蔽板５の配置とを同時に行う場合、図８のような構成となる。図８は、本発明の別のカメラモジュールを示す断面図である。図８の磁気遮蔽板５の開口５ｂは、図７の磁気遮蔽板５の開口５ａよりも、大きくなる。つまり、磁気遮蔽板５の開口５ｂは、レンズバレル３２の外径（レンズホルダ３３の内径）よりも、大きくなる。このため、図７の開口５ａよりも、開口５ｂの直径が大きくなる。つまり、磁気遮蔽板５の面積が狭くなる。従って、図８の磁気遮蔽板５による磁気遮蔽効果は、図７の磁気遮蔽板５による磁気遮蔽効果よりもやや劣る。
【０１０９】
ただし、図７の構成の場合、磁気遮蔽板５の裏面が、レンズユニット３の天面から露出した部分があるのに対し、図８の構成の場合、磁気遮蔽板５がむき出しになっている部分がほとんどない。つまり、図８の構成の場合、磁気遮蔽板５の上面（おもて面）および下面（裏面）が、全域にわたり、メカニカルシャッタ２の裏面またはレンズユニット３の天面と接している。このため、図８の構成では、たとえ磁気遮蔽板５が金属光沢のある部材であっても、磁気遮蔽板５からの反射光が迷光となるリスクがほとんどない。
【０１１０】
このように、図８の構成の場合、レンズバレル３２をレンズユニット３に装着する前に、磁気遮蔽板５をレンズユニット３の天面に取り付けることになる。そして、この場合、磁気遮蔽板５には、レンズバレル３２の装着が可能なように、レンズバレル３２の外径よりも大きな径の開口５ｂが形成される。
【０１１１】
なお、図７のように、本実施形態のカメラモジュール１では、レンズユニット３は、光軸方向の両端部に、開口（光入射側の開口３５ａ，光出射側の開口３９ａ）が形成されている。このため、光入射側の開口３５ａを介して、外部から、レンズユニット３内に異物が侵入する可能性がある。また、レンズユニット３内から異物が発生することもある。さらに、このような異物は、光出射側の開口３９ａから出て行く可能性がある。
【０１１２】
具体的には、カバー３５に形成された開口３５ａから異物が侵入した場合、あるいは、レンズユニット３内から異物が剥がれ落ちた場合、これらの異物が、コイル３６と、ヨーク３４または永久磁石３７との隙間、および、板ばね３８ａ，３８ｂのパターンの隙間等を通って、ベース３９上にまで達する可能性がある。ベース３９上に達した異物が、光出射側の開口３９ａから出て光路内に入ると、シミ不良の原因となる。
【０１１３】
そこで、レンズユニット３には、このような異物対策が施されている。すなわち、レンズユニット３は、このような異物対策として、レンズホルダ３３に突起３３ａが形成されている。突起３３ａは、レンズホルダ３３の底面に環状に形成されている。すなわち、この突起３３ａの内径は、ベース３９に形成された光出射側の開口３９ａよりも大きい。しかも、この突起３３ａは、開口３９ａを取り囲むように、開口３９ａの全周にわったって形成されている。これにより、開口３９ａへの異物の移動空間が狭くなる。つまり、突起３３ａが、ベース３９上から開口３９ａ側への異物の移動を妨げる。従って、レンズユニット３内の異物が、開口３９ａから抜け出る可能性を大幅に低減することができる。
【０１１４】
なお、異物が開口３９ａから抜け出て、下側に落下した場合、レンズユニット３の下側に設置される固体撮像素子４２、あるいは透光性部材（カバーガラス）４４に付着する。このため、付着した異物が画像として認識され、シミの原因となる。突起３３ａは、このようなシミの発生を大幅に低減することが可能となる。
【０１１５】
このように、レンズユニット３では、突起３３ａが、光入射側の開口３９ａを包囲している。さらに、この突起３３ａは、開口３９ａから異物が出ていく経路を遮断するように形成されている。従って、開口３９ａから異物が出ていくのを低減することができる。
【０１１６】
しかも、本実施形態のレンズユニット３は、レンズ３１（レンズホルダ３３）が電磁力により、光軸方向に移動する構成である。上述のように、図２は、駆動部が駆動しておらず、レンズ３１（レンズホルダ３３）が移動していない状態（定常状態；ホームポジション）を示している。一方、図７は、駆動部が駆動し、レンズ３１（レンズホルダ３３）が最高位置に移動した状態を示している。つまり、図２の状態は、レンズ機能の未使用状態であり、図７の状態は、レンズ機能の使用状態であるといえる。
【０１１７】
レンズユニット３では、図２の定常状態時に、電磁力が作用すると、レンズ３１（レンズホルダ３３）が光軸方向に移動する。これにより、図７のように、レンズホルダ３３が、カバー３５に近接、あるいは接触するまで持ち上がる。そして、レンズユニット３では、図２のように、レンズ機能の未使用状態である定常状態時に、突起３３ａと、ベース３９とが互いに接触している。つまり、駆動部の非駆動時間に、突起３３ａと、ベース３９とが互いに当接する。これにより、定常状態時に、突起３３ａが、異物の移動経路を遮断する。従って、開口３９ａから異物の出ていくのをより確実に低減することができる。
【０１１８】
しかも、レンズユニット３は、図２の定常状態時に、突起３３ａがベース３９に当接しつつ、板ばね３８ａ，３８ｂの弾性力により、レンズホルダ３３が下方向に与圧がかけられている。つまり、板ばね３８ａ，３８ｂが、レンズホルダ３３を光出射側に押し付けるように与圧を加える。このため、突起３３ａと、ベース３９とを確実に当接させることができる。これにより、突起が、異物の移動経路をより確実に遮断する。従って、各開口からの異物の出入りをより確実に低減することができる。従って、開口３９ａから異物の出ていくのをより確実に低減することができる。
【０１１９】
なお、図７の状態では、突起３３ａによって、ベース３９上の開口３９ａへの異物の移動経路を遮断する効果（開口３９ａに対する蓋効果）はなくなる。しかし、実際のカメラモジュール１００では、レンズ機能の使用時間（例えば、オートフォーカスの動作時間）よりも、未使用時間の方が圧倒的に長い。つまり、大半の時間は、レンズ機能の未使用状態である。このため、少なくとも定常状態時に、突起３３ａが、異物の移動経路を遮断していればよい。これにより、開口３９ａから異物の出ていくのを十分に低減することができる。また、固体撮像素子４２、あるいは透光性部材（カバーガラス）４４側への異物の落下を防ぐこともできる。
【０１２０】
さらに、カメラモジュール１では、ベース３９の上面の、永久磁石３７およびコイル３６の直下近傍には、溝３９ｂが形成されており、溝３９ｂ内には粘着性のダストトラップ剤４０が塗布されている。具体的には、レンズユニット３では、ベース３９は、レンズホルダ３３の底面との対向面に、溝３９ｂが形成されている。さらに、この対向面上には凸部も形成されており、この凸部に、板ばね３８ｂが配置されている。このように、ベース３９が凹凸形状になっていれば、ベース３９上から光出射側の開口３９ａへの異物の移動経路が複雑になる。従って、光出射側の開口３９ａから異物が出ていくのを確実に防ぐことができる。
【０１２１】
なお、溝３９ｂおよび凸部は、開口３９ａの周囲の全域に形成されていてもよいし、部分的に形成されていてもよい。また、凹凸形状を複雑にすればするほど、開口３９ａから異物が出ていくのを確実に防ぐことができる。
【０１２２】
また、溝３９ｂの形成部位は特に限定されるものではないが、レンズユニット３のように、コイル３６、永久磁石３７の真下に形成されていることが好ましい。つまり、溝３９ｂは、レンズホルダ３３のフランジ部およびコイル３６と、永久磁石３７との間に、光軸方向に形成された隙間の真下に形成されていることが好ましい。このように溝３９ｂが形成されていれば、隙間を経由してベース３９上に落下した異物を、落下直後に、溝３９ｂに捕獲することができる。
【０１２３】
さらに、ベース３９の表面（レンズホルダ３３の底面との対向面）には、粘着材として、ダストトラップ剤４０が塗布されていることが好ましい。特に、ダストトラップ剤４０は、レンズユニット３のように、溝３９ｂ内に塗布されていることがより好ましい。これにより、ベース３９上に移動した異物を、ダストトラップ剤４０によって捕捉することができる。従って、光出射側の開口３９ａから異物が出ていくのを確実に防ぐことができる。さらに、溝３９ｂにダストトラップ剤４０が塗布されていれば、溝３９ｂに異物を滞留させることができる。つまり、上記の隙間を経由してベース３９上に落下した異物を、落下直後に、溝３９ｂに滞留させることができる。
【０１２４】
すなわち、レンズユニット３では、ベース３９上のコイル３６および永久磁石３７の直下近傍にダストトラップ剤４０が塗布されている。このため、コイル３６と永久磁石３７との間の隙間を通ってきた異物がそのまま落下すれば、このダストトラップ剤４０上に落下することになる。これにより、ダストトラップ剤４０が、異物を捕捉する。
【０１２５】
ダストトラップ剤４０は、異物の経路中に塗布されていれば、異物を捕捉することができる。また、レンズユニット３では、突起３３ａによって異物の経路が遮断される直前に、ダストトラップ剤４０を塗布されている。このため、行き場のなくなった異物の大半をダストトラップ剤４０で捕捉することが可能となる。
【０１２６】
なお、ダストトラップ剤４０は、粘着材を有するものであれば、特に限定されるものではないが、例えば、半固体状（または固体に近い状態）の油脂や樹脂を適用することができる。例えば、グリースが好適である。グリースは、半固体状または液体に近い、油脂の一種であり、例えば、半固体状（または固体に近い状態）、または、ペースト状の潤滑剤から構成することができる。グリースは、例えば、二硫化モリブデン系潤滑剤，白色系潤滑剤，シリコーン系潤滑剤，パーフルオロポリエーテル系潤滑剤などを用いることができる。また、グリースは、鉱油を主成分とする鉱油系グリース，ポリα−オレフィン油を主成分とするポリα−オレフィン系グリース，シリコーンオイルを主成分とするシリコーン系グリース，フルオロシリコーン系グリース，パーフルオロポリエーテルを主成分とするパーフルオロポリエーテル系グリースなどを用いることができる。これらのグリースは、単独または２種以上を混合して用いることができる。また、グリースは、例えば、リチウム石鹸，カルシウム石鹸，ポリテトラフルオロエチレン（ＰＴＦＥ）など、グリース用の添加物を含むものであってもよい。
【０１２７】
なお、レンズユニット３では、レンズホルダ３３に突起３３ａが設けられていた。しかし、ベース３９に突起を形成することもできる。また、レンズ機能の使用状態に関係なく（駆動部の駆動状態に関係なく）、開口３９ａへの異物の移動経路を遮断する構成とすることもできる。
【０１２８】
図１のカメラモジュール１は、以下の構成とすることも可能である。図１３および図１４は、別のカメラモジュール（図２のカメラモジュール１の変形例）を示す断面図である。
【０１２９】
図２のカメラモジュール１は、ホルダ４３の底面に形成された凹部に、固体撮像素子４２がはめ込まれた構成であった。このため、ホルダ４３の部材公差によって、ホルダ４３が固体撮像素子４２に接触するのか、ホルダ４３が配線基板４１に接触するのか、あるいは、ホルダ４３が固体撮像素子４２および配線基板４１のいずれにも接触するのか、ケースバイケースとなる。
【０１３０】
これに対して、図１３のカメラモジュール１ａでは、ホルダ４３と固体撮像素子４２とが積極的に接触するように寸法設定されており、ホルダ４３と配線基板４１との間には隙間が生じるようになっている。ホルダ４３と配線基板４１との間に生じた隙間には、接着剤（図示せず）が充填される。
【０１３１】
カメラモジュール１ａにおいて、レンズ３１の焦点位置は、固体撮像素子４２の撮像面（表面）を基準にして設定される。例えば、カメラモジュール１ａでは、レンズユニット３のベース３９の底面をホルダ４３の上面に当接させた状態で、レンズ３１（レンズバレル３２）を光軸方向に駆動し、固体撮像素子４２の撮像面を基準にして無限遠端の焦点距離が調整される。焦点距離の調整には、例えば、レンズバレル３２およびレンズホルダ３３に形成されたねじ機構が用いられる。具体的には、レンズバレル３２およびレンズホルダ３３の一方におねじ、他方にめねじを形成しておき、レンズホルダ３３に対して、レンズバレル３２の高さを調整する。カメラモジュール１ａでは、ホルダ４３が、焦点距離の起点となる固体撮像素子４２の受光面に当接している。また、このホルダ４３の上面にレンズユニット３の底部（ベース３９の底面）を当接させた状態で、レンズ３１が光軸方向に移動する。従って、固体撮像素子４２の受光面に対するレンズ３１の高さの誤差（焦点距離の誤差）を低減することができる。
【０１３２】
このようにレンズ３１の高さの誤差が低減されると、上述のようなねじ機構により、レンズホルダ３３に対してレンズバレル３２をねじ込む量も少なくて済む。このため、ねじ込み量のばらつきを低減することができる。レンズホルダ３３のストローク量は、このねじ込み量のばらつきに基づいて設定される。このため、ねじ込み量のばらつきが小さければ、レンズホルダ３３のストローク量を小さくすることができる。これにより、レンズユニット３に要求される推力が、低減される。レンズホルダ３３のストローク量を小さくできれば、レンズ３１を駆動するためにレンズユニット３に設けられた永久磁石３７の磁力を弱めることができる。その結果、永久磁石３７の小型化、および、コイル３６のコイルターン数の削減が可能となる。従って、レンズユニット３の低消費電力化等のメリットが生じる。さらに、永久磁石３７の磁力を弱くすれば、メカニカルシャッタ２への漏洩磁界を抑制することができる。従って、漏洩磁界がメカニカルシャッタ２の特性に影響するのを低減することができる。
【０１３３】
一方、図１４のカメラモジュール１ｂは、図１３のカメラモジュール１ａをさらに改善した例である。カメラモジュール１ｂにおけるカメラモジュール１ａとの最大の相違点は、レンズユニット３のベースと、撮像ユニット４のホルダ４３とが一体になっている点である。つまり、ベース３９が、ホルダ４３を兼ねており、単一部材となっている。このため、カメラモジュール１ａよりも部品点数を削減することができ、低コスト化が図れる。また、ベース３９とホルダ４３とが一体化されていれば、互いに独立した部材の場合よりも、光軸方向におけるホルダ４３の厚さのばらつきと、光軸方向におけるベース３９の厚さのばらつきとの累積誤差が低減される。これにより、ベース３９の上面（レンズホルダ３３の突起３３ａが当接する面）と、下面（固体撮像素子４２の受光面に当接する面）との間の厚さの精度が高まる。従って、カメラモジュール１ｂでは、カメラモジュール１ａよりも、固体撮像素子４２の受光面に対するレンズ３１の高さの誤差（焦点距離の誤差）を、より一層低減することができ、レンズ３１の高さ位置の高精度化を図ることができる。また、カメラモジュール１ａと同様に、レンズユニット３の小型化や低消費電力化、メカニカルシャッタ２の特性へのレンズユニット３からの漏洩磁界の影響の低減、等が可能となる。
【０１３４】
以上のように、本発明のカメラモジュールは、メカニカルシャッタとレンズ駆動装置とを積層配置するとともに、撮像レンズあるいはレンズバレルの一部を、メカニカルシャッタの中央に設けられた凹部に配置することで、カメラモジュールの厚さを低減する。また、レンズ駆動装置により撮像レンズを駆動した場合に、レンズバレルに直接、衝撃力が加わらないよう、レンズバレルとメカニカルシャッタ、あるいは磁気遮蔽板との隙間を最適に設定している。また、レンズユニットのストローク量を低減するため、固体撮像素子上に直接、固体撮像素子をカバーするためのホルダが搭載されている。
【０１３５】
なお、本実施形態のカメラモジュールは、カメラ付き携帯電話，ディジタルスチルカメラ，セキュリティカメラなどの撮影可能な電子機器に好適である。本実施形態のカメラモジュールは、小型、薄型を実現したものであるため、携帯電話に搭載することが最適である。携帯電話に搭載する場合、携帯電話内部にも磁性体、あるいは永久磁石が搭載される可能性がある。これらの磁性体や永久磁石によって、レンズユニットからの漏洩磁界の方向、大きさが若干、影響を受ける場合もあるが、これらトータルで、漏洩磁界がメカニカルシャッタの閉じ速度に悪影響を与えず、かつ、開き動作が可能な大きさに設定されることが望ましい。
【０１３６】
本発明は、以下のように表現することもできる。
〔１〕内部に保持した撮像レンズを光軸方向に駆動するためのレンズ駆動部と、
光路を遮断または開放して、撮像レンズに入射する光量を制御するシャッタ部と、
撮像レンズを通して受光した光信号を電気信号に変換する撮像素子とを備えたカメラモジュールであって、
前記レンズ駆動部とシャッタ部にはともに電磁駆動手段が用いられており、かつ、前記シャッタ部は永久磁石が可動部となるムービングマグネット形式であり、
前記レンズ駆動部からの漏洩磁界が、シャッタの閉じ速度を速める方向に作用していることを特徴とするカメラモジュール。
【０１３７】
上記の発明によれば、シャッタ部（メカニカルシャッタ）を備えているため、スミアの発生を防ぐことができる。さらに、レンズ駆動部を備えるため、撮像レンズを光軸方向に移動させて焦点調整機能を実現することができる。
【０１３８】
上記の発明によれば、ムービングマグネット形式のシャッタ部と、ＶＣＭタイプのレンズ駆動部とを備えたカメラモジュールにおいて、レンズ駆動部からの漏洩磁界が、シャッタの閉じ速度を速める方向に作用するように、レンズ駆動部に用いられている永久磁石の着磁方向を適切に設定されている。このため、シャッタ部（シャッタ羽根）にとって最も重要な閉じ速度に対して悪影響を及ぼすことがなく、かえってＶＣＭからの漏洩磁界を活用してシャッタの閉じ速度を速め、シャッタ部を高機能化することが可能となる。
【０１３９】
このように、本発明のカメラモジュールは、レンズ駆動部からの漏洩磁界がシャッタ部（メカニカルシャッタ）の閉じ速度を速める方向に作用するように、レンズ駆動部内の永久磁石の着磁方向を設定した構成である。それゆえ、メカニカルシャッタとレンズ駆動部とを備えたカメラモジュールにおいて、レンズ駆動部からの漏洩磁界がシャッタの閉じ動作に悪影響を与えないという効果を有する。つまり、ムービングマグネット形式のシャッタとＶＣＭを組み合わせた場合でも、シャッタの閉じ動作に悪影響を与えないカメラモジュールを実現することが可能であるという効果を奏する。
〔２〕前記シャッタ部と前記レンズ駆動部とは、前記光軸方向に略積層された構造であることを特徴とする〔１〕に記載のカメラモジュール。
【０１４０】
上記の発明によれば、シャッタ部とレンズ駆動部とが光軸方向に積層されたことで、レンズ駆動部の側面部から漏れ出た漏洩磁界が、シャッタ部の駆動部（第２駆動部）の近傍位置では、ほぼ光軸に垂直な方向の磁界となる。一方、シャッタ部の磁極部からの磁界もほぼ光軸方向に垂直であるため、お互いの磁界の影響度が高い構成と言える。そのため、レンズ駆動部からの漏洩磁界の方向が、シャッタ羽根の閉じ動作を速める方向になるようにすることで、閉じ速度の加速効果がより高められる。
〔３〕前記レンズ駆動部とシャッタ部との間に、磁気遮蔽板が設けられていることを特徴とする〔２〕に記載のカメラモジュール。
【０１４１】
レンズ駆動部からの漏洩磁界の方向が、シャッタ羽根の閉じ動作を速める方向に設定されている場合、裏を返せばシャッタの開き動作を遅くすることになる。開き動作の速度はそれほど重要ではないものの、所定の電流を流しても開かないような現象は望ましくない。
【０１４２】
上記の発明によれば、磁気遮蔽板を設けることで、シャッタ部に入るレンズ駆動部からの漏洩磁界を減少させることができるため、漏洩磁界が大きすぎてシャッタが開かないという現象を防ぐことができる。
〔４〕〔１〕ないし〔３〕に記載のカメラモジュールを備えた電子機器。
【０１４３】
〔１〕ないし〔３〕に記載のカメラモジュールは、小型、薄型を実現したものであるため、携帯電話等の電子機器に搭載することが最適である。
【０１４４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４５】
本発明は、特に、通信機器をはじめとする携帯用端末に搭載されるカメラモジュールに好適に利用することができ、ムービングマグネット方式のメカニカルシャッタと、ＶＣＭタイプのレンズ駆動装置を備えたカメラモジュールにおいて、確実なスミア対策を講じることができる。
【符号の説明】
【０１４６】
１，１ａ，１ｂ  カメラモジュール
２  メカニカルシャッタ（シャッタ部）
３  レンズユニット（レンズ駆動部）
４  撮像ユニット
５  磁気遮蔽板
５ａ  開口
５ｂ  開口
２１  凹部
２２，２３  シャッタ羽根
２４，２５  駆動機構
２６  ケース
２７  開口
２８，２９  開口
３１  レンズ
３１ａ  突出部
３２  レンズバレル
３３  レンズホルダ
３３ａ  突起
３４  ヨーク
３５  カバー
３５ａ  開口
３６  コイル
３７  永久磁石
３９  ベース
３９ａ  開口
４１  配線基板
４２  固体撮像素子
４３  ホルダ
４４  透光性部材
５１  軸
５２  回転子（永久磁石）
５３  ヨーク
５４  コイル
５５  磁界
５６，５７  漏洩磁界
【図１】
2010079271.tif 000003
【図２】
2010079271.tif 000004
【図３】
2010079271.tif 000005
【図４】
2010079271.tif 000006
【図５】
2010079271.tif 000007
【図６】
2010079271.tif 000008
【図７】
2010079271.tif 000009
【図８】
2010079271.tif 000010
【図９】
2010079271.tif 000011
【図１０】
2010079271.tif 000012
【図１１】
2010079271.tif 000013
【図１２】
2010079271.tif 000014
【図１３】
2010079271.tif 000015
【図１４】
2010079271.tif 000016